(57)【要約】【課題】不正行為を防止しつつプレーヤーの利便性を向上させる。【解決手段】カジノにおける入出金管理システム１は、プレーヤーに対して開設されるエスクロー口座を管理するエスクロー口座サーバー１５と、エスクロー口座に対する入出金の認証を得るためにプレーヤーの操作に基づいて当該プレーヤーを特定するための情報が入力される情報入力端末１２と、その情報に基づいて、エスクロー口座に対する入出金の認証をする認証サーバー１７と、などがネットワーク１０に接続される。情報入力端末１２は、ＩＣカード１１のＲＦＩＤタグ２０から特定情報を読み取るＲＦＩＤリーダー／ライター２７と、プレーヤーの顔写真を撮影するカメラ２６と、を備えている。認証サーバー１７による処理は、情報入力端末１２に特定情報と顔写真が入力されたことを契機に開始される。エスクロー口座に対する入出金は、認証サーバー１７が認証をした後に行われる。【選択図】図７
2014085778.tif 000002
【特許請求の範囲】
【請求項１】
ネットカジノを実行するカジノサーバーと、前記ネットカジノのプレーヤーに対して開設されて、該ネットカジノの賭け金となる資金がプールされるエスクロー口座を管理するエスクロー口座サーバーと、前記エスクロー口座に対する入出金の認証を得るために前記プレーヤーの操作に基づいて該プレーヤーを特定するための情報が入力される情報入力端末と、前記情報に基づいて、前記エスクロー口座に対する入出金の認証をする認証サーバーと、がネットワークに接続され、
前記情報入力端末は、ＲＦＩＤタグから特定情報を読み取るＲＦＩＤリーダーと、前記プレーヤーの顔写真を撮影するカメラと、を備え、
前記認証サーバーは、前記特定情報と前記プレーヤーの顔写真を組み合わせて予め記憶しておく個人情報記憶手段と、前記情報入力端末に入力された前記特定情報と前記顔写真の組合せを、前記個人情報記憶手段に予め記憶されている前記特定情報と前記顔写真の組合せと比較して、これらが一致する場合に前記認証をする認証手段と、を備え、
前記認証手段による処理は、前記情報入力端末に前記特定情報と前記顔写真が入力されたことを契機に開始され、
前記エスクロー口座に対する入出金は、前記認証手段が前記認証をした後に行われることを特徴とする、
カジノにおける入出金管理システム。
【請求項２】
前記エスクロー口座からの出金は、前記ネットカジノの一回の勝負毎又は一連の勝負毎に行われ、
前記ネットカジノの勝ち金は、該ネットカジノの一回の勝負毎又は一連の勝負毎に前記エスクロー口座へ入金されることを特徴とする、
請求項１に記載のカジノにおける入出金管理システム。
【請求項３】
前記個人情報記憶手段に予め記憶されている特定情報は、前記ＲＦＩＤリーダーによって前記ＲＦＩＤタグから読み取られたものであり、
前記個人情報記憶手段に予め記憶されている顔写真は、前記カメラによって、前記プレーヤーの顔写真と該プレーヤーの顔写真付き身分証明書が撮影されることによって取得されたものの少なくとも一方であることを特徴とする、
請求項１又は２に記載のカジノにおける入出金管理システム。
【請求項４】
前記エスクロー口座に対する入出金の履歴を記憶する入出金履歴記憶サーバーが前記ネットワークに接続されていることを特徴とする、
請求項１〜３のいずれかに記載のカジノにおける入出金管理システム。
【請求項５】
前記情報入力端末は、前記ネットカジノを表示する表示手段を備えることを特徴とする、
請求項１〜４のいずれかに記載のカジノにおける入出金管理システム。
【請求項６】
前記ネットカジノを表示する表示端末が前記ネットワークに接続され、
前記認証サーバーは、前記認証手段が前記認証をしたことに起因して、利用回数が限定される使い捨て識別情報を発行する識別情報発行手段を備え、
前記情報入力端末は、前記識別情報発行手段が発行した前記使い捨て識別情報を出力する識別情報出力手段を備え、
前記表示端末は、前記使い捨て識別情報を前記プレーヤーに入力させる入力手段を備え、
前記エスクロー口座に対する入出金は、前記入力手段によって前記使い捨て識別情報が入力された後に行われることを特徴とする、
請求項１〜５のいずれかに記載のカジノにおける入出金管理システム。
【請求項７】
ラウンドカジノを行う施設に設置される有価媒体貸出機が前記ネットワークに接続され、
前記認証サーバーは、前記認証手段が前記認証をしたことに起因して、利用回数が限定される使い捨て識別情報を発行する識別情報発行手段を備え、
前記情報入力端末は、前記識別情報発行手段が発行した前記使い捨て識別情報を出力する識別情報出力手段を備え、
前記有価媒体貸出機は、前記使い捨て識別情報を前記プレーヤーに入力させる入力手段を備え、
前記エスクロー口座に対する入出金は、前記入力手段によって前記使い捨て識別情報が入力された後に行われることを特徴とする、
請求項１〜５のいずれかに記載のカジノにおける入出金管理システム。
【請求項８】
前記情報入力端末として、前記プレーヤーが携帯する携帯端末と、ラウンドカジノを行う施設に設置される有価媒体貸出機と、を備え、
前記有価媒体貸出機は、前記エスクロー口座からの出金に連動して、有価媒体を貸し出すことを特徴とする、
請求項１〜５のいずれかに記載のカジノにおける入出金管理システム。
【発明の詳細な説明】
【技術分野】
【０００１】
本発明は、インターネットなどのネットワークを利用して、カジノの賭け金がプールされるエスクロー口座に対する入出金を管理する、カジノにおける入出金管理システムに関する。
【背景技術】
【０００２】
近年、米国などの諸外国において、インターネットなどのネットワーク（通信回線）を利用したオンラインギャンブル（ネットカジノ）（例えば、特許文献１参照）を許可する動きが出てきている。そして、英国の調査会社Juniper Researchが発行した報告書「Mobile Gambling: Casinos, Lotteries & Betting 2012-2017」によると、中国市場の発展に起因して、モバイルハンドセットやタブレットによる世界の年間賭け金の総額が、２０１１年の１９５億米ドルから、２０１５年までに４８０億米ドルを超えると予測されている。また、上記報告書によると、ソーシャルギャンブル活動（インターネット上にギャンブルに関する社会的ネットワークを構築する活動）の急増と、米国州内におけるインターネットによるカジノや宝くじサービスの導入によって、２０１７年には１０００億米ドルに拡大する見通しである。なお、カジノは、「ルーレット、サイコロ、トランプ、スロットマシン、その他の器具等を用いて、"金銭を賭する"ゲーミング行為や、エンターテイメントとしての"賭け"行為を顧客に提供する業」を意味している（非特許文献１参照）。本願書類におけるカジノの意味も同様とする。
【先行技術文献】
【特許文献】
【０００３】
【特許文献１】特許第４５９７４３６号公報
【非特許文献】
【０００４】
【非特許文献１】韓景旭著、「韓国カジノの歴史と日本カジノの未来」、『西南学院大学国際文化論集』、２００６年２月、第２０巻、第２号、p.７７
【発明の概要】
【発明が解決しようとする課題】
【０００５】
このようなネットカジノは、リアルマネー（現金）が国境を越えて移動することが可能であり、１）カジノを認証する機関が税金を確実に徴収できなかったり（脱税）、２）カジノを利用してのマネーロンダリングがなされたり（なりすまし）、あるいは、３）未成年者が不正にカジノを利用したり（なりすまし）するなど、セキュリティ面で大きな課題がある。また、４）従来のＩＤやパスワードによる認証では、忘れや盗難などの可能性もあり、プレーヤーによる参加登録や賭け金／勝ち金の移動（入出金）を安心・安全・スピーディーに行うことができない。さらに、５）ラウンドカジノ（施設で行う実際のカジノ）との連動性をどのように図るのかが課題となっている。
【０００６】
本発明は、上記課題を鑑みてなされたものであり、不正行為を防止しつつプレーヤーの利便性を向上させた、カジノにおける入出金管理システムを提供することを目的とする。
【課題を解決するための手段】
【０００７】
（１）本発明は、ネットカジノを実行するカジノサーバーと、前記ネットカジノのプレーヤーに対して開設されて、該ネットカジノの賭け金となる資金がプールされるエスクロー口座を管理するエスクロー口座サーバーと、前記エスクロー口座に対する入出金の認証を得るために前記プレーヤーの操作に基づいて該プレーヤーを特定するための情報が入力される情報入力端末と、前記情報に基づいて、前記エスクロー口座に対する入出金の認証をする認証サーバーと、がネットワークに接続され、前記情報入力端末は、ＲＦＩＤタグから特定情報を読み取るＲＦＩＤリーダーと、前記プレーヤーの顔写真を撮影するカメラと、を備え、前記認証サーバーは、前記特定情報と前記プレーヤーの顔写真を組み合わせて予め記憶しておく個人情報記憶手段と、前記情報入力端末に入力された前記特定情報と前記顔写真の組合せを、前記個人情報記憶手段に予め記憶されている前記特定情報と前記顔写真の組合せと比較して、これらが一致する場合に前記認証をする認証手段と、を備え、前記認証手段による処理は、前記情報入力端末に前記特定情報と前記顔写真が入力されたことを契機に開始され、前記エスクロー口座に対する入出金は、前記認証手段が前記認証をした後に行われることを特徴とする、カジノにおける入出金管理システムである。
【０００８】
本発明によれば、情報入力端末に特定情報と顔写真が入力されたことを契機に認証手段による処理が開始されるので、簡単に認証作業を行うことができる。例えば、ＲＦＩＤタグを内蔵するカード（ＩＣカード）を、ＲＦＩＤリーダーを内蔵するスマートフォンにタッチし（かざし）、そのスマートフォンで顔写真を撮影するだけで、認証作業を行うことができる。このように、認証作業が簡単であるので、プレーヤーの利便性を向上させることができる。また、認証作業に顔写真を必要とするので、他人のＩＣカードを利用したり、なりすましてエスクロー口座を利用したりするなどの不正行為を防止することができる。具体的に、マネーロンダリングがなされたり、未成年者が不正に利用したりすることが防止される。これにより、プレーヤーによる入出金を安心・安全・スピーディーに行うことができる。
【０００９】
ところで、カジノでの大きな社会問題はギャンブル依存症であり、この点が大いに懸念される。特に、ネットカジノ（オンラインカジノ）は、賭ける毎に擬似チップをマウスで移動してクリックして行うものであり、動作がマンネリ化して実際のお金（リアルマネー）を賭けているという感覚が薄れることから、ギャンブル依存症の対策が必要である。
【００１０】
本発明では、ギャンブル依存症の抑制手段として、賭ける毎にＩＣカードを"かざす"という動作を必要とするので、マウス操作だけでなくマンネリ化するような感覚を起こさせず（途切れさせ）、ギャンブル依存症を抑制（防止）することができる。
【００１１】
（２）本発明はまた、前記エスクロー口座からの出金は、前記ネットカジノの一回の勝負毎又は一連の勝負毎に行われ、前記ネットカジノの勝ち金は、該ネットカジノの一回の勝負毎又は前記一連の勝負毎に前記エスクロー口座へ入金されることを特徴とする、上記（１）に記載のカジノにおける入出金管理システムである。
【００１２】
上記発明によれば、ネットカジノの一回の勝負毎又は一連の勝負毎にエスクロー口座に対する入出金が行われるので、お金の流れが明確となり、不正行為をより確実に防止することができる。また、プレーヤーが安心してプレーできる環境になる。
【００１３】
（３）本発明はまた、前記個人情報記憶手段に予め記憶されている特定情報は、前記ＲＦＩＤリーダーによって前記ＲＦＩＤタグから読み取られたものであり、前記個人情報記憶手段に予め記憶されている顔写真は、前記カメラによって、前記プレーヤーの顔写真と該プレーヤーの顔写真付き身分証明書が撮影されることによって取得されたものの少なくとも一方であることを特徴とする、上記（１）又は（２）に記載のカジノにおける入出金管理システムである。
【００１４】
上記発明によれば、例えば、ＩＣカードを、ＲＦＩＤリーダーを内蔵するスマートフォンにタッチし、そのスマートフォンで顔写真そのものと顔写真付き身分証明書を撮影するだけで、事前登録（ＩＣカードと顔写真のペアリング）を行うことができる。このように、登録作業が簡単であるので、プレーヤーの利便性をさらに向上させることができる。また、登録作業に顔写真付き身分証明書を必要とするので、なりすましてエスクロー口座を利用するなどの不正行為を防止することができる。
【００１５】
（４）本発明はまた、前記エスクロー口座に対する入出金の履歴を記憶する入出金履歴記憶サーバーが前記ネットワークに接続されていることを特徴とする、上記（１）〜（３）のいずれかに記載のカジノにおける入出金管理システムである。
【００１６】
上記発明によれば、エスクロー口座に対する入出金の履歴を監視することで、ネットカジノにおけるお金の流れを全て把握することができる。これにより、ネットカジノを認証する機関（例えば、国）が税金を確実に徴収することができる。また、マネーロンダリングがなされたり、未成年者が不正にカジノを利用したりすることを、より確実に防止することができる。
【００１７】
（５）本発明はまた、前記情報入力端末は、前記ネットカジノを表示する表示手段を備えることを特徴とする、上記（１）〜（４）のいずれかに記載のカジノにおける入出金管理システムである。
【００１８】
上記発明によれば、例えば、１台のスマートフォンと１枚のＩＣカードを準備するだけで、ネットカジノをプレーすることができる。これにより、プレーヤーの利便性をさらに向上させることができる。
【００１９】
（６）本発明はまた、前記ネットカジノを表示する表示端末が前記ネットワークに接続され、前記認証サーバーは、前記認証手段が前記認証をしたことに起因して、利用回数が限定される使い捨て識別情報を発行する識別情報発行手段を備え、前記情報入力端末は、前記識別情報発行手段が発行した前記使い捨て識別情報を出力する識別情報出力手段を備え、前記表示端末は、前記使い捨て識別情報を前記プレーヤーに入力させる入力手段を備え、前記エスクロー口座に対する入出金は、前記入力手段によって前記使い捨て識別情報が入力された後に行われることを特徴とする、上記（１）〜（５）のいずれかに記載のカジノにおける入出金管理システムである。
【００２０】
上記発明によれば、情報入力端末（例えば、スマートフォン）が表示端末（例えば、施設に設置される端末）と直接通信することができない場合であっても、プレーヤーによる入出金を安心・安全・スピーディーに行うことができる。また、識別情報（例えば、パスワード）を長期的に覚えておく必要がなく、また、識別情報の利用回数に限りがあるので、識別情報の忘れや盗難などの心配もない。
【００２１】
（７）本発明はまた、ラウンドカジノを行う施設に設置される有価媒体貸出機が前記ネットワークに接続され、前記認証サーバーは、前記認証手段が前記認証をしたことに起因して、利用回数が限定される使い捨て識別情報を発行する識別情報発行手段を備え、前記情報入力端末は、前記識別情報発行手段が発行した前記使い捨て識別情報を出力する識別情報出力手段を備え、前記有価媒体貸出機は、前記使い捨て識別情報を前記プレーヤーに入力させる入力手段を備え、前記エスクロー口座に対する入出金は、前記入力手段によって前記使い捨て識別情報が入力された後に行われることを特徴とする、上記（１）〜（５）のいずれかに記載のカジノにおける入出金管理システムである。
【００２２】
上記発明によれば、情報入力端末（例えば、スマートフォン）が有価媒体貸出機（例えば、チップ貸出機）と直接通信することができない場合であっても、プレーヤーによる入出金を安心・安全・スピーディーに行うことができる。また、識別情報（例えば、パスワード）を長期的に覚えておく必要がなく、また、識別情報の利用回数に限りがあるので、識別情報の忘れや盗難などの心配もない。さらに、ネットカジノとラウンドカジノを問題なく連動させることができる。
【００２３】
（８）本発明はまた、前記情報入力端末として、前記プレーヤーが携帯する携帯端末と、ラウンドカジノを行う施設に設置される有価媒体貸出機と、を備え、前記有価媒体貸出機は、前記エスクロー口座からの出金に連動して、有価媒体を貸し出すことを特徴とする、上記（１）〜（５）のいずれかに記載のカジノにおける入出金管理システムである。
【００２４】
上記発明によれば、ネットカジノとラウンドカジノを問題なく連動させることができる。
【発明の効果】
【００２５】
本発明の上記（１）〜（８）に記載のカジノにおける入出金管理システムによれば、不正行為を防止しつつプレーヤーの利便性を向上させることができる。
【図面の簡単な説明】
【００２６】
【図１】本発明の第１実施形態に係る入出金管理システムの構成を示すブロック図である。
【図２】情報入力端末の構成を示すブロック図である。
【図３】各サーバーの構成を示すブロック図である。
【図４】認証サーバーの機能構成を示すブロック図である。
【図５】キャッシャーの構成を示すブロック図である。
【図６】事前登録の流れを説明する概略図である。
【図７】事前登録の流れを説明するフローチャートである。
【図８】ネットカジノでプレーするまでの流れを説明する概略図である。
【図９】ネットカジノでプレーするまでの流れを説明するフローチャートである。
【図１０】ラウンドカジノでプレーするまでの流れを説明する概略図である。
【図１１】ラウンドカジノでプレーするまでの流れを説明するフローチャートである。
【図１２】入出金管理システムにおけるお金の流れを説明する概略図であり、銀行からエスクロー口座に入金する場合を示す。
【図１３】入出金管理システムにおけるお金の流れを説明する概略図であり、クレジットカード会社からエスクロー口座に入金する場合を示す。
【図１４】入出金管理システムにおけるお金の流れを説明する概略図であり、携帯端末会社からエスクロー口座に入金する場合を示す。
【図１５】本発明の第２実施形態に係る入出金管理システムの構成を示すブロック図である。
【図１６】表示端末の構成を示すブロック図である。
【図１７】認証サーバーの機能構成を示すブロック図である。
【図１８】使い捨てパスワードを発行するまでの流れを説明する概略図である。
【図１９】使い捨てパスワードを発行するまでの流れを説明するフローチャートである。
【発明を実施するための形態】
【００２７】
以下、図面を参照して、本発明の実施形態に係る、カジノにおける入出金管理システムについて詳細に説明する。なお、本発明は、以下の実施形態にて説明する入出金管理システム１，２の構成に限定されるものではない。
【００２８】
［第１実施形態］まず、図１〜図５を用いて、第１実施形態に係る入出金管理システム１の構成について説明する。図１は、入出金管理システム１の構成を示すブロック図である。図２は、情報入力端末１２の構成を示すブロック図である。図３は、各サーバー１３〜１８の構成を示すブロック図である。図４は、認証サーバー１７の機能構成を示すブロック図である。図５は、キャッシャー１９の構成を示すブロック図である。なお、各図において、図面の簡略化のため、一部の構成を適宜省略する。
【００２９】
図１に示される入出金管理システム１は、インターネットなどのネットワーク１０を利用して、カジノの賭け金がプールされるエスクロー口座に対する入出金を、個人情報の認証によって管理するものである。この入出金管理システム１は、エスクロー口座に対する入出金を管理することで、プレーヤー（利用者）に対してネットカジノとラウンドカジノ（施設で行う実際のカジノ）の双方を提供する。なお、本実施形態において、ネットカジノとラウンドカジノは、同一の機関又は同一視できる機関によって運営されている。
【００３０】
具体的に、入出金管理システム１は、ＩＣカード１１と、情報入力端末１２と、カジノサーバー１３と、カジノ口座サーバー１４と、エスクロー口座サーバー１５と、銀行口座サーバー１６と、認証サーバー１７と、入出金履歴記憶サーバー１８と、キャッシャー１９と、を備えている。
【００３１】
ＩＣカード１１は、プレーヤーが所持するカードなど（カードタイプ、ＵＳＢタイプ、ホルダータイプ、その他を含む。）であり、クレジットカード、デビットカード、プリペードカード、キャッシュカード、パスポート、交通カード、運転免許証、公共（公的）機関発行カード、あるいは、カジノを運営する機関（カジノ運営機関）が発行する専用のカードなど、あらゆるカードを採用することができる。ただし、プレーヤーを特定する個人情報（氏名、生年月日など）を記憶したカードであることが条件となる。すなわち、プリペードカード（チャージ型を含む。）や交通カードなどの場合であっても、プレーヤーを特定する個人情報を記憶していることが条件となる。このＩＣカード１１は、ＲＦＩＤタグ２０を内蔵している。
【００３２】
ＲＦＩＤタグ２０は、プレーヤーを特定する個人情報（氏名、生年月日など）を記憶している。ＲＦＩＤタグ２０に記憶されている個人情報は、情報入力端末１２に内蔵されているＲＦＩＤリーダー／ライター２７（図２、図６及び図８参照）や、キャッシャー１９に内蔵されているＲＦＩＤリーダー４３（図５及び図１０参照）によって読み取られる。なお、本実施形態では、ＩＣカード１１を例に説明しているが、本発明は、ＲＦＩＤタグを備えていれば、ＩＣカードに代えて、携帯情報端末（携帯電話機、スマートフォン、タブレット端末など）などであってもよい。
【００３３】
情報入力端末１２は、プレーヤーが所持する端末であり、スマートフォンなどを採用することができる。この情報入力端末１２は、エスクロー口座に対する入出金の認証を得るためにプレーヤーの操作に基づいて当該プレーヤーの個人情報が入力される端末である。また、情報入力端末１２は、ネットカジノを表示して、当該ネットカジノをプレーする端末として機能する。なお、本発明において個人情報には、カメラで撮影される顔写真が含まれる。
【００３４】
図２に示されるように、情報入力端末１２は、ＣＰＵ２１と、ＲＡＭ２２と、ＲＯＭ２３と、表示手段２４と、操作手段２５と、カメラ２６と、ＲＦＩＤリーダー／ライター２７と、通信手段２８と、などを備えている。情報入力端末１２の各部は、バス２９を介して互いに接続されている。
【００３５】
ＣＰＵ２１は、いわゆる中央演算処理装置であり、各種プログラム（アプリケーションを含む。）が実行されて各種機能を実現する。ＲＡＭ２２は、ＣＰＵ２１の作業領域として使用される。ＲＯＭ２３は、ＣＰＵ２１で実行される各種プログラムなどを記憶する。表示手段２４は、情報入力端末１２の前面に配置されるディスプレーであり、各種操作画面や、ネットカジノの画面（図１及び図８（Ｂ）参照）などを表示する。操作手段２５は、物理的な操作ボタンや表示手段２４に内蔵されたタッチパネルであり、プレーヤーの操作に基づいて各種情報が入力される。
【００３６】
カメラ２６は、ＣＣＤやＣＭＯＳなどの撮像素子を利用して静止画や動画をデジタルデータとして記録するものであり、顔写真や顔写真付き身分証明書を撮影する。ＲＦＩＤリーダー／ライター２７は、近距離無線通信（ＮＦＣ）を実現するものであり、情報入力端末１２にかざされた（＝タッチされた）ＩＣカード１１のＲＦＩＤタグ２０と非接触で通信して、当該ＲＦＩＤタグ２０から個人情報を読み取る。このＲＦＩＤリーダー／ライター２７は、情報入力端末１２に内蔵されている必要はなく、ケーブルなどで接続される後付けのものであってもよい。通信手段２８は、携帯電話回線（３Ｇなど）、無線ＬＡＮ（Ｗｉ−Ｆｉ（登録商標）など）などであり、ネットワーク１０に接続する。
【００３７】
なお、本実施形態では、情報入力端末１２としてスマートフォンを採用した場合を例に説明しているが、本発明の情報入力端末は、上記の諸機能を備えていれば、スマートフォンに代えて、携帯電話機、タブレット端末などであってもよい。
【００３８】
図１に戻って説明する。カジノサーバー１３は、ネットカジノを実行するサーバーであり、プレーヤーが所持する情報入力端末１２からアクセスされる。なお、カジノサーバー１３には、認証サーバー１７と入出金履歴記憶サーバー１８の機能をもたせることができる。すなわち、カジノサーバー１３、認証サーバー１７、及び入出金履歴記憶サーバー１８を一つのサーバーで管理してもよい。
【００３９】
カジノ口座サーバー１４は、カジノ運営機関に対して開設される口座を銀行などが管理するサーバーであり、その口座には、カジノ運営機関の運営資金がプールされる。このカジノ口座サーバー１４は、エスクロー口座サーバー１５と通信して、互いの口座間でお金（金銭情報）を遣り取りする（図１２参照）。すなわち、カジノ口座サーバー１４には、エスクロー口座サーバー１５からカジノの賭け金が入金される。また、カジノ口座サーバー１４からは、エスクロー口座サーバー１５にカジノの勝ち金が出金される。なお、カジノ口座サーバー１４に対するエスクロー口座サーバー１５からの入金は、認証サーバー１７による認証の後に行われる。
【００４０】
エスクロー口座サーバー１５は、プレーヤーに対して開設されるエスクロー口座を銀行などが管理するサーバーであり、エスクロー口座には、カジノの賭け金となる資金がプールされる。このエスクロー口座サーバー１５は、銀行口座サーバー１６と通信して、互いの口座間でお金（金銭情報）を遣り取りする（図１２参照）。すなわち、エスクロー口座サーバー１５には、銀行口座サーバー１６からカジノの資金が入金される。また、エスクロー口座サーバー１５からは、銀行口座サーバー１６にカジノの勝ち金が出金される。出金のタイミングは、定時処理としてもよいし、プレーヤーの請求毎の処理としてもよい。なお、エスクロー口座サーバー１５に対する銀行口座サーバー１６からの入金は、認証サーバー１７による認証の後に行われる。
【００４１】
また、エスクロー口座サーバー１５は、カジノ口座サーバー１４と通信して、互いの口座間でお金（金銭情報）を遣り取りする（図１２参照）。すなわち、エスクロー口座サーバー１５からは、カジノ口座サーバー１４にカジノの賭け金が出金される。賭け金の出金は、ネットカジノで勝負する場合のみならず、ラウンドカジノで勝負するためにキャッシャー１９でチップが貸し出される場合にも行われる。出金のタイミングは、ネットカジノの勝負毎であり、複数の勝負の賭け金をまとめて出金することはできない。また、出金のタイミングは、キャッシャー１９でチップが貸し出される毎である。なお、エスクロー口座サーバー１５からのカジノ口座サーバー１４への出金は、認証サーバー１７による認証の後に行われる。
【００４２】
また、エスクロー口座サーバー１５には、カジノ口座サーバー１４からカジノの勝ち金が入金される。勝ち金の入金は、ネットカジノの勝負に勝った場合のみならず、ラウンドカジノのキャッシャー１９でチップが清算される場合にも行われる。入金のタイミングは、ネットカジノの勝負毎であり、複数の勝負の勝ち金がまとめて入金されることはない。また、入金のタイミングは、キャッシャー１９でチップが清算される毎である。なお、キャッシャー１９でチップを清算した際の、エスクロー口座サーバー１５に対するカジノ口座サーバー１４からの入金は、認証サーバー１７による認証の後に行われる。
【００４３】
以上のエスクロー口座サーバー１５は、入出金履歴記憶サーバー１８によって入出金の全ての履歴が監視されている（図１２参照）。
【００４４】
銀行口座サーバー１６は、法人や個人に開設する普通預金などの口座を銀行などが管理するサーバーであり、プレーヤーの口座も開設される。この銀行口座サーバー１６は、エスクロー口座サーバー１５と通信して、互いの口座間でお金（金銭情報）を遣り取りする（図１２参照）。すなわち、銀行口座サーバー１６からは、エスクロー口座サーバー１５にカジノの賭け金となる資金が出金される。また、銀行口座サーバー１６には、エスクロー口座サーバー１５からカジノの勝ち金が入金される。なお、銀行口座サーバー１６からのエスクロー口座サーバー１５への出金は、認証サーバー１７による認証の後に行われる。
【００４５】
なお、銀行口座サーバー１６には、カジノ口座サーバー１４とエスクロー口座サーバー１５の機能をもたせることができる。すなわち、カジノ口座サーバー１４、エスクロー口座サーバー１５、及び銀行口座サーバー１６を一つのサーバーで管理してもよい。
【００４６】
認証サーバー１７は、情報入力端末１２で入力された個人情報に基づいて、エスクロー口座（エスクロー口座サーバー１５）に対する入出金の認証をするサーバーである。
【００４７】
入出金履歴記憶サーバー１８は、エスクロー口座（エスクロー口座サーバー１５）に対する入出金の履歴を記憶するサーバーである。具体的に、入出金履歴記憶サーバー１８は、エスクロー口座サーバー１５に常時アクセスして、エスクロー口座サーバー１５のログを取得し、当該ログを入出金の履歴として記憶する。
【００４８】
図３に示されるように、各サーバー１３〜１８は、ＣＰＵ３０と、ＲＡＭ３１と、ＨＤＤ３２と、通信手段３３と、などを備えている。各サーバー１３〜１８の各部は、バス３４を介して互いに接続されている。
【００４９】
ＣＰＵ３０は、いわゆる中央演算処理装置であり、各種プログラム（アプリケーションを含む。）が実行されて各種機能を実現する。ＲＡＭ３１は、ＣＰＵ３０の作業領域として使用される。ＨＤＤ３２は、ＣＰＵ３０で実行される各種プログラムなどを記憶する。通信手段２８は、ＬＡＮケーブルなどであり、ネットワーク１０に接続する。
【００５０】
図４に示されるように、認証サーバー１７は、プログラム実行後の機能構成として、個人情報記憶手段３５と、認証手段３６と、を備えている。
【００５１】
個人情報記憶手段３５は、認証サーバー１７のＨＤＤ３２に構築される。この個人情報記憶手段３５は、プレーヤーの個人情報と顔写真を組み合わせて、カジノのプレーに先立って予め記憶する。個人情報記憶手段３５に予め記憶されている個人情報は、情報入力端末１２のＲＦＩＤリーダー／ライター２７によって、ＩＣカード１１のＲＦＩＤタグ２０から読み取られたものである（図６参照）。個人情報記憶手段３５に予め記憶されている顔写真は、情報入力端末１２のカメラ２６によって、プレーヤーの顔写真が撮影されることによって取得されたものである（図６参照）。なお、本発明において、個人情報記憶手段３５に予め記憶されている顔写真は、情報入力端末１２のカメラ２６によって、プレーヤーの顔写真と当該プレーヤーの顔写真付き身分証明書４７が撮影されることによって取得されたものの少なくとも一方であればよい。
【００５２】
認証手段３６は、認証サーバー１７のＣＰＵ３０に構築される。この認証手段３６は、カジノのプレーに先立って、情報入力端末１２に、個人情報との組合せで顔写真（静止画、動画のいずれであってもよい。）そのものと顔写真付き身分証明書が入力されたことを契機に、当該顔写真が、顔写真付き身分証明書４７の顔写真と一致するか否かを判定する。顔写真付き身分証明書の顔写真と一致するものと判定された顔写真そのものは、個人情報との組合せで個人情報記憶手段３５に記憶される。また、認証手段３６は、カジノのプレーにおいては、情報入力端末１２に個人情報と顔写真（静止画、動画のいずれであってもよい。）が入力されたことを契機に、処理を開始する。具体的に、認証手段３６は、情報入力端末１２に入力された個人情報と顔写真の組合せを、個人情報記憶手段３５に予め記憶されている個人情報と顔写真の組合せと比較して、これらが一致する場合に、エスクロー口座に対する入出金の認証をする。
【００５３】
なお、認証の精度は、静止画の顔写真よりも動画の顔写真を利用する方が高い。このため、情報入力端末１２から入力する顔写真を動画に限定して、認証精度を高めるようにしてもよい。また、個人情報と顔写真に加え、音声データを利用して認証をするようにしてもよい。これにより、プレーヤーが未成年者であるか否かの判別精度が向上する。この場合、情報入力端末１２がマイクを備えている必要があり、かつ、プレーヤーの音声データを、個人情報記憶手段３５に予め記憶しておく必要がある。さらに、個人情報と顔写真に加え、ＧＰＳ機能による位置情報を利用して認証をするようにしてもよい。これにより、問題のある国や地域からアクセスされている場合に認証を制限する（すなわち、認証をしない）ようにすることができる。この場合、情報入力端末１２がＧＰＳ機能を備えている必要があり、かつ、認証を制限する国や地域の緯度経度を認証サーバー１７のＨＤＤ３２に予め記憶しておく必要がある。
【００５４】
図１に戻って説明する。キャッシャー１９は、ラウンドカジノを行う施設に設置されるチップ貸出／精算機であり、ラウンドカジノをプレーするプレーヤーに対し、チップの貸出し／清算を行う。
【００５５】
図５に示されるように、キャッシャー１９は、ＣＰＵ３７と、ＲＡＭ３８と、ＲＯＭ３９と、表示手段４０と、操作手段４１と、カメラ４２と、ＲＦＩＤリーダー／ライター４３と、通信手段４４と、ホッパー４５と、を備えている。
【００５６】
ＣＰＵ３７は、いわゆる中央演算処理装置であり、各種プログラム（アプリケーションを含む。）が実行されて各種機能を実現する。ＲＡＭ３８は、ＣＰＵ３７の作業領域として使用される。ＲＯＭ３９は、ＣＰＵ３７で実行される各種プログラムなどを記憶する。表示手段４０は、キャッシャー１９の前面に配置されるディスプレーであり、各種操作画面や、ラウンドカジノを中継する画面、あるいは、場合によって、ネットカジノの画面などを表示する。操作手段４１は、物理的な操作ボタンや表示手段４０に内蔵されたタッチパネルであり、プレーヤーの操作に基づいて各種情報が入力される。
【００５７】
カメラ４２は、ＣＣＤやＣＭＯＳなどの撮像素子を利用して静止画や動画をデジタルデータとして記録するものであり、顔写真を撮影する。ＲＦＩＤリーダー／ライター４３は、近距離無線通信（ＮＦＣ）を実現するものであり、キャッシャー１９にかざされた（タッチされた）ＩＣカード１１のＲＦＩＤタグ２０と非接触で通信して、当該ＲＦＩＤタグ２０から個人情報を読み取る。通信手段４４は、ＬＡＮケーブルなどであり、ネットワーク１０に接続する。
【００５８】
ホッパー４５は、プレーヤーに貸し出すチップを蓄える容器である。このホッパー４５は、貸出時にチップを排出する。また、ホッパー４５には、清算時にチップが投入される。プレーヤーは、貸し出されたチップを利用してラウンドカジノをプレーすることができる。
【００５９】
次に、図６及び図７を用いて、事前登録の流れを説明する。図６は、事前登録の流れを説明する概略図である。図７は、事前登録の流れを説明するフローチャートである。
【００６０】
プレーヤーによる情報入力端末１２の操作によって、当該情報入力端末１２からカジノサーバー１３（図１参照）にアクセスされる。情報入力端末１２の表示手段２４（図２参照）には、ネットカジノのホームページが開かれる。プレーヤーは、ネットカジノのホームページ（ウェブページ）内の情報にしたがって、エスクロー口座を開設する。開設されたエスクロー口座は、エスクロー口座サーバー１５（図１参照）に管理される。
【００６１】
そして、プレーヤーは、ネットカジノのホームページ内の情報にしたがって、ＩＣカード１１を情報入力端末１２にタッチする。情報入力端末１２が内蔵するＲＦＩＤリーダー／ライター２７によって、ＩＣカード１１のＲＦＩＤタグ２０からプレーヤーの個人情報が取得される。また、プレーヤーは、ネットカジノのホームページ内の情報にしたがって、情報入力端末１２のカメラ２６で、自身の顔写真と顔写真付き身分証明書４７（公的機関が発行するものであり、パスポート、運転免許証など）を撮影する。これにより、プレーヤーの顔写真が取得される。なお、プレーヤーによって情報入力端末１２の操作手段２５が操作され、国籍、氏名、年齢、男女別（性別）、住所、電話番号、メールアドレスなどの情報も入力される。これらの情報も、ネットカジノをプレーする際などに必要になる。
【００６２】
なお、事前登録は、対話方式の受付によるものとしてもよい。具体的に、ＩＣカード１１を情報入力端末１２にタッチすると、音声セルフサービス（ＩＶＲ）、あるいは、エスクロー口座管理のコンタクトセンター、又はカスタマーサービス・エージェントを、電話機能（電話回線、ネットワーク回線のいずれでもよい。）で呼び出し、対話方式の質疑応答で情報収集するようにしてもよい。なお、対話内容を収録保管する旨を予め通知し、その後、プレーヤーの了解のもと、対話方式の登録を実施するものとする。
【００６３】
ＲＦＩＤリーダー／ライター２７から取得された個人情報と、カメラ２６から取得された顔写真（顔写真そのものと、顔写真付き身分証明書４７における顔写真）の組合せは、認証サーバー１７に送信される。認証サーバー１７の認証手段３６（図４参照）では、まず、顔写真そのものが、顔写真付き身分証明書４７の顔写真と一致するか否かが判定される。そして、顔写真付き身分証明書４７の顔写真と一致するものと判定された顔写真そのものは、個人情報との組合せで、個人情報記憶手段３５（図４参照）に記憶される。これにより、事前登録が完了する。
【００６４】
次に、図８及び図９を用いて、ネットカジノでプレーするまでの流れを説明する。図８は、ネットカジノでプレーするまでの流れを説明する概略図である。図９は、ネットカジノでプレーするまでの流れを説明するフローチャートである。
【００６５】
プレーヤーによる情報入力端末１２の操作によって、当該情報入力端末１２からカジノサーバー１３（図１参照）にアクセスされる。情報入力端末１２の表示手段２４（図２参照）には、ネットカジノのホームページが開かれる。なお、事前登録時に、ＩＣカード１１のＲＦＩＤタグ２０にネットカジノのＵＲＬを記憶しておいてもよく、このようにすることで、プレーヤーがＩＣカード１１を情報入力端末１２にタッチするだけで、ネットカジノのホームページを開くことができる（自動アクセス）。
【００６６】
プレーヤーは、ネットカジノのホームページ（ウェブページ）内の情報にしたがって、操作手段２５（図２参照）を操作して国籍、氏名、年齢、・・・などの情報を入力すると共に、ＩＣカード１１を情報入力端末１２にタッチする（ＩＣカード１１を情報入力端末１２にタッチする自動アクセスの場合には、ここでのタッチを省略することができる。）。情報入力端末１２が内蔵するＲＦＩＤリーダー／ライター２７によって、ＩＣカード１１のＲＦＩＤタグ２０からプレーヤーの個人情報が取得される。また、プレーヤーは、ネットカジノのホームページ内の情報にしたがって、情報入力端末１２のカメラ２６で、自身の顔写真を撮影する。これにより、プレーヤーの顔写真が取得される。
【００６７】
ＲＦＩＤリーダー／ライター２７から取得された個人情報と、カメラ２６から取得された顔写真の組合せは、認証サーバー１７（図１参照）に送信される。認証サーバー１７に送信された個人情報と顔写真の組合せは、認証手段３６（図４参照）によって、個人情報記憶手段３５（図４参照）に予め記憶されている個人情報と顔写真の組合せと比較され、これらが一致する場合に、エスクロー口座に対する入出金の認証がされる。認証手段３６によって認証がされることで、エスクロー口座からの出金が可能となり、ネットカジノで賭け金を賭ける（ＢＥＴする）ことができる。そして、ネットカジノの勝負で勝った場合には、勝ち金がエスクロー口座に入金される。
【００６８】
次に、図１０及び図１１を用いて、ラウンドカジノでプレーするまでの流れを説明する。図１０は、ラウンドカジノでプレーするまでの流れを説明する概略図である。図１１は、ラウンドカジノでプレーするまでの流れを説明するフローチャートである。
【００６９】
プレーヤーは、キャッシャー１９の表示手段４０（図５参照）に表示されている情報にしたがって、ＩＣカード１１をキャッシャー１９にタッチする。キャッシャー１９が内蔵するＲＦＩＤリーダー／ライター４３によって、ＩＣカード１１のＲＦＩＤタグ２０からプレーヤーの個人情報が取得される。また、プレーヤーは、表示手段４０に表示されている情報にしたがって、キャッシャー１９のカメラ４２で、自身の顔写真を撮影する。これにより、プレーヤーの顔写真が取得される。
【００７０】
ＲＦＩＤリーダー／ライター４３から取得された個人情報と、カメラ４２から取得された顔写真の組合せは、認証サーバー１７に送信される。認証サーバー１７に送信された個人情報と顔写真の組合せは、認証手段３６（図４参照）によって、個人情報記憶手段３５（図４参照）に予め記憶されている個人情報と顔写真の組合せと比較され、これらが一致する場合に、エスクロー口座に対する入出金の認証がされる。認証手段３６によって認証がされることで、エスクロー口座からの出金が可能となり、エスクロー口座からの出金と引き換えに、等価のチップが貸し出される。
【００７１】
次に、図１２、図１３及び図１４を用いて、入出金管理システム１におけるお金の流れを説明する。図１２は、入出金管理システム１におけるお金の流れを説明する概略図であり、銀行からエスクロー口座に入金する場合を示す。図１３は、入出金管理システム１におけるお金の流れを説明する概略図であり、クレジットカード会社からエスクロー口座に入金する場合を示す。図１４は、入出金管理システム１におけるお金の流れを説明する概略図であり、携帯端末会社からエスクロー口座に入金する場合を示す。
【００７２】
図１２に示されるように、プレーヤーは、情報入力端末１２を使うなどして、銀行などに普通預金などの口座を開設すると共に、当該口座にカジノの資金を入金する。開設された口座は、銀行口座サーバー１６で管理される。そして、プレーヤーは、情報入力端末１２を使って、エスクロー口座を開設する。開設されたエスクロー口座は、エスクロー口座サーバー１５で管理される。また、プレーヤーは、認証手続を経て、エスクロー口座に対し、銀行などの口座からカジノの資金を入金する。これにより、カジノの資金がエスクロー口座にプールされる。
【００７３】
そして、ネットカジノをプレーする場合、プレーヤーは、情報入力端末１２を使って、一回の勝負毎（後述するように、一連の勝負毎であってもよい。）に、認証手続を経て、エスクロー口座からカジノ運営機関の口座に賭け金を出金する。賭け金は、カジノ運営機関の運営資金として、カジノ運営機関の口座にプールされる。カジノの承認国は、カジノ運営機関に対し課税する。課税金額は、エスクロー口座の入出金履歴に基づいてカジノ運営機関の利益を計算することで、決定する。
【００７４】
ネットカジノの勝ち金は、勝負毎に、カジノ運営機関の口座からエスクロー口座に入金される。勝ち金は、カジノの資金としてエスクロー口座にプールされる。そして、エスクロー口座にプールされた勝ち金は、定時処理で、又は、プレーヤーの請求毎の処理で、銀行などの口座に入金される。
【００７５】
また、ラウンドカジノをプレーする場合、プレーヤーは、キャッシャー１９を使って、認証手続を経て、チップの貸出しを受ける。これにより、プレーヤーは、ラウンドカジノをプレーすることができる。チップの貸出しに際して、エスクロー口座からカジノ運営機関の口座に賭け金を出金する。また、プレーヤーは、キャッシャー１９を使って、認証手続を経て、チップの清算をする。チップの清算に際して、チップと等価の勝ち金が、カジノ運営機関の口座からエスクロー口座に入金される。
【００７６】
なお、図１３に示されるように、エスクロー口座に対し、クレジットカード会社からカジノの資金を入金するようにしてもよい。この場合、プレーヤーは、クレジットカード会社と契約し、クレジットカードを予め発行しておく必要がある。そして、プレーヤーは、認証手続を経て、エスクロー口座に対し、クレジットカード会社からカジノの資金を入金することになる。
【００７７】
また、図１４に示されるように、エスクロー口座に対し、携帯端末会社からカジノの資金を入金するようにしてもよい。この場合、プレーヤーは、携帯端末会社と契約し、携帯端末をもっておく必要がある。そして、プレーヤーは、認証手続を経て、エスクロー口座に対し、携帯端末会社からカジノの資金を入金することになる。
【００７８】
このように、入出金管理システム１によれば、情報入力端末１２に個人情報と顔写真が入力されたことを契機に認証手段３６による処理が開始されるので、簡単に認証作業を行うことができる。例えば、ＲＦＩＤタグ２０を内蔵するＩＣカード１１を、ＲＦＩＤリーダー／ライター２７を内蔵する情報入力端末１２（スマートフォン）にタッチし（かざし）、その情報入力端末１２で顔写真を撮影するだけで、認証作業を行うことができる。このように、認証作業が簡単であるので、プレーヤーの利便性を向上させることができる。また、認証作業に顔写真を必要とするので、他人のＩＣカードを利用したり、なりすましてエスクロー口座を利用したりするなどの不正行為を防止することができる。具体的に、マネーロンダリングがなされたり、未成年者が不正に利用したりすることが防止される。これにより、プレーヤーによる入出金を安心・安全・スピーディーに行うことができる。
【００７９】
ところで、カジノでの大きな社会問題はギャンブル依存症であり、この点が大いに懸念される。特に、ネットカジノ（オンラインカジノ）は、賭ける毎に擬似チップをマウスで移動してクリックして行うものであり、動作がマンネリ化して実際のお金（リアルマネー）を賭けているという感覚が薄れることから、ギャンブル依存症の対策が必要である。
【００８０】
入出金管理システム１では、ギャンブル依存症の抑制手段として、賭ける毎にＩＣカード１１を"かざす"という動作を必要とするので、マウス操作だけでなくマンネリ化するような感覚を起こさせず（途切れさせ）、ギャンブル依存症を抑制（防止）することができる。
【００８１】
そして、ネットカジノの一回の勝負毎又は一連の勝負毎にエスクロー口座に対する入出金が行われるので、お金の流れが明確となり、不正行為をより確実に防止することができる。また、プレーヤーが安心してプレーできる環境になる。
【００８２】
また、ＩＣカード１１を、ＲＦＩＤリーダー／ライター２７を内蔵する情報入力端末１２（スマートフォン）にタッチし、その情報入力端末１２で顔写真付き身分証明書４７を撮影するだけで、事前登録（ＩＣカード１１と顔写真のペアリング）を行うことができる。このように、登録作業が簡単であるので、プレーヤーの利便性をさらに向上させることができる。また、登録作業に顔写真付き身分証明書を必要とするので、なりすましてエスクロー口座を利用するなどの不正行為を防止することができる。
【００８３】
さらに、入出金履歴記憶サーバー１８によって、エスクロー口座に対する入出金の履歴を監視することで、ネットカジノにおけるお金の流れを全て把握することができる。これにより、ネットカジノを認証する機関（例えば、国）が税金を確実に徴収することができる。また、マネーロンダリングがなされたり、未成年者が不正にカジノを利用したりすることを、より確実に防止することができる。
【００８４】
そして、例えば、１台のスマートフォンと１枚のＩＣカードを準備するだけで、ネットカジノをプレーすることができる。これにより、プレーヤーの利便性をさらに向上させることができる。
【００８５】
また、ネットカジノとラウンドカジノを問題なく連動させることができる。
【００８６】
［第２実施形態］次に、図１５〜図１７を用いて、第２実施形態に係る入出金管理システム２の構成について説明する。図１５は、入出金管理システム２の構成を示すブロック図である。図１６は、表示端末４８の構成を示すブロック図である。図１７は、認証サーバー１７の機能構成を示すブロック図である。なお、第２実施形態に係る入出金管理システム２の特徴部分のみを説明し、第１実施形態に係る入出金管理システム１と同様の構成、作用、及び効果についての説明は適宜省略する。
【００８７】
図１５に示される入出金管理システム２は、情報入力端末１２からネットカジノを表示する機能を別にしたシステムであり、さらに、使い捨てパスワード（ワンタイムパスワード、ＯＴＰ）を採用したシステムである。この入出金管理システム２は、表示端末４８などを備えている。表示端末４８は、プレーヤーが所持する端末であっても、第三者が所持する端末であってもよく、タブレット端末などを採用することができる。この表示端末４８は、ネットカジノを表示して、当該ネットカジノをプレーする端末である。
【００８８】
図１６に示されるように、表示端末４８は、ＣＰＵ４９と、ＲＡＭ５０と、ＲＯＭ５１と、表示手段５２と、操作手段５３と、通信手段５４と、などを備えている。表示端末４８の各部は、バス５５を介して互いに接続されている。
【００８９】
ＣＰＵ４９は、いわゆる中央演算処理装置であり、各種プログラム（アプリケーションを含む。）が実行されて各種機能を実現する。ＲＡＭ５０は、ＣＰＵ４９の作業領域として使用される。ＲＯＭ５１は、ＣＰＵ４９で実行される各種プログラムなどを記憶する。表示手段５２は、表示端末４８の前面に配置されるディスプレーであり、各種操作画面や、ネットカジノの画面（図１５参照）、あるいは、使い捨てパスワードの出力画面（図１７（Ｂ）参照）などを表示する。操作手段５３は、物理的な操作ボタンや表示手段５２に内蔵されたタッチパネルであり、プレーヤーの操作に基づいて各種情報が入力される。通信手段２８は、無線ＬＡＮ（Ｗｉ−Ｆｉ（登録商標）など）、などであり、ネットワーク１０に接続する。
【００９０】
なお、本実施形態では、表示端末４８としてタブレット端末を採用した場合を例に説明しているが、本発明の表示端末４８は、上記の諸機能を備えていれば、タブレット端末に代えて、インターネットテレビや、施設などに設置される専用の表示装置などであってもよい。
【００９１】
図１７に示されるように、認証サーバー１７は、プログラム実行後の機能構成として、パスワード発行手段５６などを備えている。
【００９２】
パスワード発行手段５６は、認証サーバー１７のＣＰＵ３０に構築される。このパスワード発行手段５６は、認証手段３６がエスクロー口座に対する入出金の認証をしたことに起因して、利用回数が限定（本実施形態では、１回に限定）される使い捨てパスワードを発行する。使い捨てパスワードは、表示端末４８に入力することで、当該表示端末４８でネットカジノをプレーすることが可能になる。また、使い捨てパスワードは、キャッシャー１９に入力することで、チップの貸出しを可能にする。
【００９３】
なお、本実施形態では、使い捨てパスワードを発行するパスワード発行手段５６を例に説明しているが、これに限定されず、本発明は、利用回数が限定される使い捨て識別情報を発行する識別情報発行手段であればよい。使い捨て識別情報としては、例えば、短距離無線通信によるワンタイム暗号化データなどが挙げられる。この場合、パスワード入力のようなプレーヤーによる手入力の必要がなく、利便性がさらに向上する。
【００９４】
次に、図１８及び図１９を用いて、使い捨てパスワードを発行するまでの流れを説明する。図１８は、使い捨てパスワードを発行するまでの流れを説明する概略図である。図１９は、使い捨てパスワードを発行するまでの流れを説明するフローチャートである。
【００９５】
プレーヤーによる情報入力端末１２の操作によって、当該情報入力端末１２からカジノサーバー１３（図１５参照）にアクセスされる。情報入力端末１２の表示手段２４（図２参照）には、ネットカジノのホームページが開かれる。プレーヤーは、ネットカジノのホームページ（ウェブページ）内の情報にしたがって、ＩＣカード１１を情報入力端末１２にタッチする。情報入力端末１２が内蔵するＲＦＩＤリーダー／ライター２７によって、ＣＩカード１１のＲＦＩＤタグ２０からプレーヤーの個人情報が取得される。また、プレーヤーは、ネットカジノのホームページ内の情報にしたがって、情報入力端末１２のカメラ２６で、自身の顔写真を撮影する。これにより、プレーヤーの顔写真が取得される。
【００９６】
ＲＦＩＤリーダー／ライター２７から取得された個人情報と、カメラ２６から取得された顔写真の組合せは、認証サーバー１７（図１５参照）に送信される。認証サーバー１７に送信された個人情報と顔写真の組合せは、認証手段３６（図１７参照）によって、個人情報記憶手段３５（図１７参照）に予め記憶されている個人情報と顔写真の組合せと比較され、これらが一致する場合に、エスクロー口座に対する入出金の認証がされる。認証手段３６によって認証がされることで、パスワード発行手段５６（図１７参照）によって使い捨てパスワードが発行される。パスワード発行手段５６で発行された使い捨てパスワードは、情報入力端末１２に送信され、当該情報入力端末１２の表示手段２４（図２参照）に表示される。すなわち、表示手段２４は、使い捨てパスワード（使い捨て識別情報）を出力するパスワード出力手段（識別情報出力手段）として機能する。
【００９７】
そして、プレーヤーは、表示端末４８（図１５及び図１６参照）の表示手段５２（図１６参照）の表示にしたがって、使い捨てパスワードを操作手段５３（図１６参照）から入力することで、エスクロー口座からの出金が可能となり、ネットカジノで賭け金を賭ける（ＢＥＴする）ことができる。すなわち、操作手段５３は、使い捨てパスワード（使い捨て識別情報）をプレーヤーに入力させる入力手段として機能する。そして、ネットカジノの勝負で勝った場合には、勝ち金がエスクロー口座に入金される。
【００９８】
また、プレーヤーは、キャッシャー１９（図５及び図１５参照）の表示手段４０（図５参照）の表示にしたがって、使い捨てパスワードを操作手段４１（図５参照）から入力することで、エスクロー口座からの出金が可能となり、エスクロー口座からの出金と引き換えに、等価のチップが貸し出される。すなわち、操作手段４１は、使い捨てパスワード（使い捨て識別情報）をプレーヤーに入力させる入力手段として機能する。
【００９９】
このように、入出金管理システム２によれば、情報入力端末１２（スマートフォン）が表示端末４８（タブレット端末）と直接通信することができない場合であっても、プレーヤーによる入出金を安心・安全・スピーディーに行うことができる。また、識別情報（パスワード）を長期的に覚えておく必要がなく、また、識別情報の利用回数に限りがあるので、識別情報の忘れや盗難などの心配もない。
【０１００】
また、情報入力端末１２（スマートフォン）がキャッシャー１９と直接通信することができない場合であっても、プレーヤーによる入出金を安心・安全・スピーディーに行うことができる。また、識別情報（パスワード）を長期的に覚えておく必要がなく、また、識別情報の利用回数に限りがあるので、識別情報の忘れや盗難などの心配もない。さらに、ネットカジノとラウンドカジノを問題なく連動させることができる。
【０１０１】
本発明は、上記各実施形態に限られるものではなく、その趣旨及び技術思想を逸脱しない範囲で種々の変形が可能である。
【０１０２】
すなわち、上記各実施形態は、可能な範囲で互いの構成を採用することができる。例えば、第１実施形態の入出金管理システム１において、第２実施形態の入出金管理システム２における使い捨てパスワード（使い捨て識別情報）を適宜採用することができる。入出金管理システム１に使い捨てパスワードを採用することで、無線通信回線が使用できないオフライン状態（情報入力端末１２がネットワーク１０に接続できない状態）においても、入出金の認証をすることができ、ネットカジノをプレーすることができる。
【０１０３】
具体的に、まず、事前登録時に、ＩＣカード１１のＲＦＩＤタグ２０に記憶されている個人情報と、顔写真付き身分証明書４７から撮影された顔写真を、認証サーバー１７の個人情報記憶手段３５に記憶しておくだけでなく、情報入力端末１２が内蔵するＳＩＭカード等（記憶手段）に記憶しておく必要がある。そして、オフライン状態における認証時に、情報入力端末１２に構築される認証手段が、情報入力端末１２に入力された個人情報と顔写真の組合せを、情報入力端末１２が内蔵するＳＩＭカード等に予め記憶されている個人情報と顔写真の組合せと比較して、これらが一致する場合に、エスクロー口座に対する入出金の認証がされ、また、情報入力端末１２に構築されるパスワード発行手段によって使い捨てパスワードが発行されるように構成しておく必要がある。さらに、第２実施形態における「ネットワーク１０に接続された表示端末４８」を備えるように構成しておく必要がある。これにより、オフライン状態においても、使い捨てパスワードを利用してネットカジノをプレーすることが可能になる。
【０１０４】
あるいは、上記各実施形態では、オンラインのネットカジノの場合を例に説明したが、本発明は、オフラインのネットカジノであってもよい。この場合、任意にオンライン化して清算を行う必要がある。
【０１０５】
あるいは、上記各実施形態において、ＩＣカード１１の紛失に対応すべく、ＩＣカード１１のＲＦＩＤタグ２０に記憶されている個人情報に代えて、ＳＹＫ（記憶（知識）による認証）、ＳＹＨ（所有物による認証）、ＳＹＡ（本人の特長による認証）のいずれかと、顔写真の組合せに基づいて、エスクロー口座に対する入出金の認証をするようにしてもよい。
【０１０６】
あるいは、上記各実施形態では、ネットカジノの１回の勝負毎に、エスクロー口座に対する入出金の認証をしているが、本発明はこれに限定されず、一連（例えば、２回、３回、・・・）の勝負毎に、エスクロー口座に対する入出金の認証をするようにしてもよい。これにより、セキュリティ性は若干落ちるが、プレーヤーの利便性がさらに向上する。
【０１０７】
あるいは、上記各実施形態では、ＩＣカード１１のＲＦＩＤタグ２０に記憶されている個人情報を用いる場合を例に説明したが、これに限定されず、プレーヤーを特定するための情報であればよい。例えば、ＩＣカード１１のＲＦＩＤタグ２０に記憶されている固有識別子や、ユーザー識別子であってもよい。これにより、ＲＦＩＤタグ２０のメモリー容量に制限がある場合であっても、本発明を実現できる。
【符号の説明】
【０１０８】
１，２  入出金管理システム
１０  ネットワーク
１２  情報入力端末
１３  カジノサーバー
１５  エスクロー口座サーバー
１７  認証サーバー
１８  入出金履歴記憶サーバー
１９  キャッシャー（有価媒体貸出機）
２０  ＲＦＩＤタグ
２４  表示手段（識別情報出力手段）
２５  操作手段（入力手段）
２６  カメラ
２７  ＲＦＩＤリーダー／ライター（ＲＦＩＤリーダー）
３５  個人情報記憶手段
３６  認証手段
４０  表示手段
４１  操作手段（入力手段）
４２  カメラ
４３  ＲＦＩＤリーダー／ライター（ＲＦＩＤリーダー）
４７  顔写真付き身分証明書
４８  表示端末
５６  パスワード発行手段（識別情報発行手段）
【図１】
2014085778.tif 000003
【図２】
2014085778.tif 000004
【図３】
2014085778.tif 000005
【図４】
2014085778.tif 000006
【図５】
2014085778.tif 000007
【図６】
2014085778.tif 000008
【図７】
2014085778.tif 000009
【図８】
2014085778.tif 000010
【図９】
2014085778.tif 000011
【図１０】
2014085778.tif 000012
【図１１】
2014085778.tif 000013
【図１２】
2014085778.tif 000014
【図１３】
2014085778.tif 000015
【図１４】
2014085778.tif 000016
【図１５】
2014085778.tif 000017
【図１６】
2014085778.tif 000018
【図１７】
2014085778.tif 000019
【図１８】
2014085778.tif 000020
【図１９】
2014085778.tif 000021